(57)【要約】【課題】本発明は、電子拡大鏡に関するもので、利便性を高めることを目的とするものである。【解決手段】そしてこの目的を達成するために本発明は、本体ケース１と、この本体ケース１の上面側に設けた表示部２と、この本体ケース１の下面側に設けた読み取り部３と、この読み取り部３で読み取った画像を拡大して前記表示部２に表示させる制御部４とを備え、前記制御部４は、前記表示部２に表示させた画像上にスクロール方向決定バー２７を表示させるためのバー表示手段２５と、このバー表示手段２５によって表示されたスクロール方向決定バー２７を前記表示部内の画像上において、傾斜させるバー傾斜手段２６と、このバー傾斜手段２６によって傾斜させられたスクロール方向決定バー２７方向にそって表示部２内の画像をスクロールするスクロール手段とを有する構成とした。【選択図】図４
2010161682.tif 000002
【特許請求の範囲】
【請求項１】
本体ケースと、この本体ケースの上面側に設けた表示部と、この本体ケースの下面側に設けた読み取り部と、この読み取り部で読み取った画像を拡大して前記表示部に表示させる制御部とを備え、
前記制御部は、前記表示部に表示させた画像上にスクロール方向決定バーを表示させるためのバー表示手段と、このバー表示手段によって表示されたスクロール方向決定バーを前記表示部内の画像上において、傾斜させるバー傾斜手段と、このバー傾斜手段によって傾斜させられたスクロール方向決定バー方向にそって表示部内の画像をスクロールするスクロール手段とを有する電子拡大鏡。
【請求項２】
スクロール手段によって表示部内の画像をスクロールする前に、傾斜させられたスクロール方向決定バーを消去する構成とした請求項１に記載の電子拡大鏡。
【請求項３】
スクロール方向決定バーを消去操作するスイッチを本体ケースに設けた請求項２に記載の電子拡大鏡。
【発明の詳細な説明】
【技術分野】
【０００１】
本発明は、電子拡大鏡に関するものである。
【背景技術】
【０００２】
電子拡大鏡は、弱視者が本や新聞などを気楽に楽しむために、その需要が徐々に高まっており、その構成としては、以下の様なものとなっていた。
【０００３】
すなわち、本体ケースと、この本体ケースの上面側に設けた表示部と、この本体ケースの下面側に設けた読み取り部と、この読み取り部で読み取った画像を拡大して前記表示部に表示させる制御部とを備えた構成となっていた。
【０００４】
そして、この構成において、例えば本の上に本体ケースを載せ、制御部により読み取り部で読み取った画像を拡大し、表示部に表示させるようになっている。
【０００５】
この電子拡大鏡は、老眼鏡や虫眼鏡よりも拡大率が大きく、その分読みやすくなることで高い評価を受けている。
【特許文献１】特開平７−１２９３５９号公報
【発明の開示】
【発明が解決しようとする課題】
【０００６】
上記従来例における課題は、例えば本の上に本体ケースを斜めに載せてしまった場合に、非常に不便なものである、ということであった。
【０００７】
すなわち、本の上に本体ケースを斜めに載せてしまった場合には、この本体ケースの表示部に表示される画像も傾斜（たとえば右肩上がりの傾斜）したものとなり、この状態で画面を、文章の読む方向つまり右方にスクロールすると、右方にスクロールすればするほど、今読んでいる行の文書は例えば斜め上方に消え失せてしまう。
【０００８】
そこで、この場合使用者は、まず文章の続きを読むために画面を右方にスクロールし、その状態で、つぎに画面を上方にスクロールすることで、やっとこの一行の文章を読むことができる。
【０００９】
その後、下段の行を読むためには、まず画面を下方にスクロールし、つぎに左方にスクロールすることで、やっと下段の文章の始まりにたどりつくことができる。
【００１０】
つまり、数行の文章を読むためには、以上のような左右上下のスクロールを繰り返して行わなければならず、非常に不便なものであった。
【００１１】
なお、画面を斜めにスクロールするものとして、上記特許文献１に記載したものがあるが、この特許文献１に記載されたものは、文章や図面の作成時に画面を斜めにスクロールするものであって、斜めになった文章を読むためのものではなく、よって、この特許文献１を電子拡大鏡に組み込むことは実現されていない。
【００１２】
そこで本発明は、利便性を高めることを目的とするものである。
【課題を解決するための手段】
【００１３】
そして、この目的を達成するために本発明は、本体ケースと、この本体ケースの上面側に設けた表示部と、この本体ケースの下面側に設けた読み取り部と、この読み取り部で読み取った画像を拡大して前記表示部に表示させる制御部とを備え、前記制御部は、前記表示部に表示させた画像上にスクロール方向決定バーを表示させるためのバー表示手段と、このバー表示手段によって表示されたスクロール方向決定バーを前記表示部内の画像上において、傾斜させるバー傾斜手段と、このバー傾斜手段によって傾斜させられたスクロール方向決定バー方向にそって表示部内の画像をスクロールするスクロール手段とを有する構成とし、これにより所期の目的を達成するものである。
【発明の効果】
【００１４】
以上のように本発明は、本体ケースと、この本体ケースの上面側に設けた表示部と、この本体ケースの下面側に設けた読み取り部と、この読み取り部で読み取った画像を拡大して前記表示部に表示させる制御部とを備え、前記制御部は、前記表示部に表示させた画像上にスクロール方向決定バーを表示させるためのバー表示手段と、このバー表示手段によって表示されたスクロール方向決定バーを前記表示部内の画像上において、傾斜させるバー傾斜手段と、このバー傾斜手段によって傾斜させられたスクロール方向決定バー方向にそって表示部内の画像をスクロールするスクロール手段とを有する構成としたものであるので、利便性を高めることができる。
【００１５】
すなわち、本発明においては、まず、バー表示手段によって、表示部に表示させた画像上にスクロール方向決定バーを表示させ、つぎに、バー傾斜手段によって、バー表示手段によって表示されたスクロール方向決定バーを前記表示部内の画像上において傾斜させ、その後、スクロール手段によって、バー傾斜手段によって傾斜させられたスクロール方向決定バー方向にそって表示部内の画像をスクロールするので、使用者は画面を読む方向（たとえば右方）にスクロールするだけで、その行の文章を読むことができ、また、下段の文章を読むためには、一旦下段にスクロールし、読み始め（たとえば左方）にスクロールすることで、下段の文章先頭に到達することができ、極めて利便性の高いものとなる。
【発明を実施するための最良の形態】
【００１６】
以下、本発明の一実施形態を添付図面を用いて説明する。
【００１７】
本実施形態の電子拡大鏡は、図１から図３に示すように、長方形体の本体ケース１と、この本体ケース１の上面側に設けた液晶の表示部２と、この本体ケース１の下面側に設けた読み取り部３と、この読み取り部３で読み取った画像を拡大して前記表示部２に表示させる制御部４（図４）とを備えている。
【００１８】
本体ケース１の上面側には、図１に示すように電源ランプ５、ズーム用のスイッチ６、カーソル移動用のスイッチ７が設けられている。
【００１９】
また、この図１に示すように、本体ケース１の上辺側には、フォーカスやリターンを行うスイッチ８と、シャッター用のスイッチ９が設けられている。
【００２０】
さらに、この図１に示すように、本体ケース１の右辺側には、メニュー用のスイッチ１０と、電源用のスイッチ１１が設けられている。このうち、メニュー用のスイッチ１０は、各種メニューを次々に表示部２に表示させ、その表示内容の選択は、スイッチ７の右片７ａ、上片７ｂ、左片７ｃ、下片７ｄにより、選択決定されるようになっている。
【００２１】
また、本体ケース１の下面側には、図２に示すごとく前記読み取り部３が設けられ、その外周には、照明用のＬＥＤ１２が４個設けられている。さらに、これらＬＥＤ１２の外方には、スタンド脚１３が設けられている。また、この本体ケース１の下面側の外方４方には、平面脚１４が設けられている。
【００２２】
また、この図２に示すごとく本体ケース１の左辺側には、読み取りの遠近切り換え用のスイッチ１５と、読み取りと再生を切り換えるためのスイッチ１６が設けられている。
【００２３】
さらに、本体ケース１の下辺側には、本体ケース１にストラップ（図示せず）を取り付けるための取り付け部１７と、表示部２のコントラスト調整用のスイッチ１８と、表示部２の表示内容のカラー切り替えを行うためのスイッチ１９が設けられている。
【００２４】
前記制御部４には、図４に示すごとく読み取り部３で読み取った画像データを、画像格納部２０を介して記憶する外部メモリ２１や、前記スイッチ６、７、８、９、１０、１１、１５、１６、１８、１９や、表示部２が接続されており、その内部は、マイコン（ＣＰＵ）２２、切出し部２３、拡大処理部２４、バー表示手段２５、バー傾斜手段２６を有している。
【００２５】
上記構成において、例えば、新聞記事を読む時の操作について説明する。
【００２６】
まず、この場合、スイッチ１１を長押し（約２秒）し、電源を入れ、電源ランプ５を点灯させる。
【００２７】
つぎに、新聞や本を読むために、スイッチ８を切り換え、接写モードに切り換える。
【００２８】
その後、スイッチ１６により、撮影モードに切り換える。
【００２９】
そして、その状態で、本体ケース１を、表示部２を上にして、新聞紙の読みたい記事の上に置く。
【００３０】
つぎに、スイッチ８を押すことで、読み取り部３を新聞記事に対してピントを合わせる。
【００３１】
この状態で、スイッチ９を押すと、図５のごとく表示部２には、図４で示す切り取り部２３、拡大処理部２４、バー表示手段２５、バー傾斜手段２６をスルー状態で表示部２には読み取った新聞記事が表示される。またこれと同時に、読み取り部３で読み取った画像データは、画像格納部２０および外部メモリ２１に記録される。
【００３２】
このようにして読み取った新聞記事を読むときは、スイッチ６の大径部６ａを操作することで、最大１０倍以上に拡大され、その状態が図６に示す状態となる。
【００３３】
つまり、スイッチ６を押すことで、図４の切出し部２３により、図５に示すごとく、記事が拡大された状態で切り出され、この状態で使用者は新聞記事を読むことになる。
【００３４】
なお、スイッチ６の小径部６ｂを操作すれば、この切り出しが小さく、つまり、図５における表示部２内に、より多くの文字が表出することになる。
【００３５】
さて、図５、図６は、読みたい新聞記事の上に本体ケース１を適切に置いた状態であるが、使用者がこの新聞記事の上本体ケース１を斜めに置いてしまった場合には、これを読むために上記スイッチ６の大径部６ａを操作すると、図７に示すごとく表示部２内には、新聞記事が斜めに表示される。
【００３６】
この状態で、その新聞記事を読むために、スイッチ７の右片７ａを操作すると、表示部２内の新聞記事は、右側にスクロールされていく。
【００３７】
ところが、この図７からも明らかなように、たとえば、一番上段の行の「ｃｄｅｆｇｈｉｊｋ」までは、読み取れるが、それ以降の「ｌｍｎｏ」などは、表示部２から消失してしまう。
【００３８】
そこで、従来は、この時、使用者は、スイッチ７の上片７ｂを操作することで、表示部２内を上方にスクロールし、消失してしまった「ｌｍｎｏ」を読まなければならず、極めて不便なものであった。
【００３９】
そこで、本実施形態では、図８に示すごとく、このように新聞記事が斜めになってしまった場合には、図１のスイッチ１０を操作することで、図４のバー表示手段２５を駆動させ、図８に示すスクロール方向決定バー２７（この時は、図８において破線で示すもの）を、表示部２内に表示させる。
【００４０】
つぎに、スイッチ７の上片７ｂを操作することで、図４のバー傾斜手段２６を駆動させ、このスクロール方向決定バー２７（この時は、図８において破線で示すもの）を、図８に示す実線のスクロール方向決定バー２７ごとく右側を上方に、左側を下方に傾斜させ、その状態でスイッチ７を押せば、この実線状態のスクロール方向決定バー２７が設定される。
【００４１】
つまり、この斜めになった実線状態のスクロール方向決定バー２７が表示部２内における右方へのスクロール方向に設定されるのである。
【００４２】
さてこの状態で、斜めになった新聞記事を読む場合、まず、スイッチ１０を操作することで、表示部２内から、図８の実線のスクロール方向決定バー２７を消失させ、この状態で、図１のスイッチ７の右片７ａを押せば、図８における上段の「〜ｃｄｅｆｇｈｉｊｋ」を読んでいけば、今、この図８では消えている「ｌｍｎｏ〜」が、今、図８の「〜ｃｄｅｆｇｈｉｊｋ」に登場し、つまり、斜めの記事も連続的に読むことができ、きわめて利便性の高いものとなる。
【００４３】
さて、この「〜ｃｄｅｆｇｈｉｊｋｌｍｎｏ〜」の行を読み取った後は、スイッチ７の左片７ｃを押すことで、図７を左方にスクロールし、つぎに、スイッチ７の下片７ｄを操作することで、下方にスクロールし、これにより次段の「〜ＢＣＤＥＦＧＨＩＪＫＬＭＮＯ〜」を続けて簡単に読むことができる。
【００４４】
以上のごとく、本実施形態における最も大きな特徴点は、表示部２内にスクロール方向決定バー２７を表出させ、しかも、それを傾斜設定することで、表示部２内のスクロール方向を傾斜方向にスクロールさせることであり、そのために、バー表示手段２５、バー傾斜手段２６、スクロールのためのスイッチ７（右片７ａ、上片７ｂ、左片７ｃ、下片７ｄ）を設け、それをマイコン２２で制御する構成としている。
【００４５】
なお、マイコン２２には、図示していないが、プログラムを格納したＲＯＭが設けられており、以上の動作は、このＲＯＭ内に格納されたプログラムにより実行される。
【産業上の利用可能性】
【００４６】
以上のように本発明は、本体ケースと、この本体ケースの上面側に設けた表示部と、この本体ケースの下面側に設けた読み取り部と、この読み取り部で読み取った画像を拡大して前記表示部に表示させる制御部とを備え、前記制御部は、前記表示部に表示させた画像上にスクロール方向決定バーを表示させるためのバー表示手段と、このバー表示手段によって表示されたスクロール方向決定バーを前記表示部内の画像上において、傾斜させるバー傾斜手段と、このバー傾斜手段によって傾斜させられたスクロール方向決定バー方向にそって表示部内の画像をスクロールするスクロール手段とを有する構成としたものであるので、利便性を高めることができる。
【００４７】
すなわち、本発明においては、まず、バー表示手段によって、表示部に表示させた画像上にスクロール方向決定バーを表示させ、つぎに、バー傾斜手段によって、バー表示手段によって表示されたスクロール方向決定バーを前記表示部内の画像上において傾斜させ、その後、スクロール手段によって、バー傾斜手段によって傾斜させられたスクロール方向決定バー方向にそって表示部内の画像をスクロールするので、使用者は画面を読む方向（たとえば右方）にスクロールするだけで、その行の文章を読むことができ、また、下段の文章を読むためには、一旦下段にスクロールし、読み始め（たとえば左方）にスクロールすることで、下段の文章先頭に到達することができ、極めて利便性の高いものとなる。
【００４８】
したがって、電子拡大鏡として、広く活用が期待されるものである。
【図面の簡単な説明】
【００４９】
【図１】本発明の一実施形態を示す上面側からの斜視図
【図２】本発明の一実施形態を示す下面側からの斜視図
【図３】本発明の一実施形態を示す下方側からの斜視図
【図４】本発明の一実施形態を示す制御部のブロック図
【図５】本発明の一実施形態を示す表示部の上面図
【図６】本発明の一実施形態を示す表示部の上面図
【図７】本発明の一実施形態を示す表示部の上面図
【図８】本発明の一実施形態を示す表示部の上面図
【符号の説明】
【００５０】
１  本体ケース
２  表示部
３  読み取り部
４  制御部
５  電源ランプ
６  スイッチ
６ａ  スイッチ６の大径部
６ｂ  スイッチ６の小径部
７  カーソルボタン
７ａ  スイッチ７の右片
７ｂ  スイッチ７の上片
７ｃ  スイッチ７の左片
７ｄ  スイッチ７の下片
８  スイッチ
９  スイッチ
１０  スイッチ
１１  スイッチ
１２  ＬＥＤ
１３  スタンド脚
１４  平面脚
１５  スイッチ
１６  スイッチ
１７  取り付け部
１８  スイッチ
１９  スイッチ
２０  画像格納部
２１  外部メモリ
２２  マイコン（ＣＰＵ）
２３  切出し部
２４  拡大処理部
２５  バー表示手段
２６  バー傾斜手段
２７  スクロール方向決定バー
【図１】
2010161682.tif 000003
【図２】
2010161682.tif 000004
【図３】
2010161682.tif 000005
【図４】
2010161682.tif 000006
【図５】
2010161682.tif 000007
【図６】
2010161682.tif 000008
【図７】
2010161682.tif 000009
【図８】
2010161682.tif 000010